(57)【要約】      （修正有）【課題】ドアとドア枠体との密閉性を高めて遮音性、断熱性等を高めたり電磁波等の遮蔽性を一段と向上させることができる密閉ドアを提供する。【解決手段】密閉ドア１０はドア１２と、ドア枠体１４と、から構成されている。ドア枠体１４の中央部には開口部１６が形成されている。ドア１２のドア背面板１２Ｃはドア幅方向先端部１２Ａに近づくに従ってドア正面板１２Ｄに接近するように傾斜して形成されている。ドア枠体１４のドア１２と対応する正面側にはドア１２を閉めた場合にドア背面板１２Ｃが当接するドア上当接部、ドア下当接部、ドア先端当接部３４、ドア基端当接部３６が形成されている。ドア上当接部、ドア下当接部、ドア先端当接部３４、ドア基端当接部３６の傾斜角度はドア１２のドア背面板１２Ｃの傾斜角度と同じ傾斜角度に設定されている。【選択図】図１
0003180506.tif 000002
【実用新案登録請求の範囲】
【請求項１】
ドアと、ドア枠体と、を備えてなる密閉ドアであって、前記ドアの背面側に形成されると共にドア幅方向に沿って傾斜して形成されたドア背面板と、前記ドア枠体の正面側に形成されると共に前記ドアを閉めた場合に前記ドア背面板が密着するように前記ドア背面板の傾斜角度と同じ傾斜角度で傾斜して形成されたドア上当接部、ドア下当接部、ドア先端当接部、ドア基端当接部と、を有してなることを特徴とする密閉ドア。
【請求項２】
ドアと、ドア枠体と、を備えてなる密閉ドアであって、前記ドアの背面側に形成されると共にドア幅方向先端部に近づくに従ってドア正面板に接近するように傾斜して形成されたドア背面板と、前記ドア枠体の正面側に形成されると共に前記ドアを閉めた場合に前記ドア背面板が密着するように前記ドア背面板の傾斜角度と同じ傾斜角度で傾斜して形成されたドア上当接部、ドア下当接部、ドア先端当接部、ドア基端当接部と、を有してなることを特徴とする密閉ドア。
【請求項３】
スライド可能なドアと、矩形枠状に形成されたドア枠体と、を備えてなる密閉ドアであって、前記ドアの背面側に形成されると共にドア幅方向先端部に近づくに従ってドア正面板に接近するように傾斜して形成されたドア背面板と、前記ドア枠体の正面側に形成されると共に前記ドアを閉めた場合に前記ドア背面板が密着するように前記ドア背面板の傾斜角度と同じ傾斜角度で傾斜して形成されたドア上当接部、ドア下当接部、ドア先端当接部、ドア基端当接部と、を有してなることを特徴とする密閉ドア。
【考案の詳細な説明】
【技術分野】
【０００１】
本考案は、シンプルな構造でありながらドアをドア枠体に密着させてドアを閉めることができる密閉ドアに関する。
【背景技術】
【０００２】
従来から遮音性、断熱性等を高めたり電磁波等を遮蔽するために密閉状態で閉めることができる密閉ドアが広く提案されている（特許文献１）。
しかし、従来のこのタイプの密閉ドアは密閉性を高めるためにドアをドア枠体に押し付けるためにドアに押付装置を設ける等している。
このため、ドアやドア枠体の構造が大掛かりなったり、構造が複雑になったりすると共に製造コストが高くなり提供価格が高くなるという不具合がある。
【先行技術文献】
【特許文献】
【０００３】
【特許文献１】特開２００３−２３２１７２号公報
【考案の概要】
【考案が解決しようとする課題】
【０００４】
本考案は、上記事実に鑑みなされたものであり、シンプルな構造でありながらドアをドア枠体に密着してドアを閉めることができることにより、ドアとドア枠体との密閉性を高めて遮音性、断熱性等を高めたり電磁波等の遮蔽性を一段と向上させることができる密閉ドアを提供するものである。
【課題を解決するための手段】
【０００５】
請求項１の考案は、ドアと、ドア枠体と、を備えてなる密閉ドアであって、前記ドアの背面側に形成されると共にドア幅方向に沿って傾斜して形成されたドア背面板と、前記ドア枠体の正面側に形成されると共に前記ドアを閉めた場合に前記ドア背面板が密着するように前記ドア背面板の傾斜角度と同じ傾斜角度で傾斜して形成されたドア上当接部、ドア下当接部、ドア先端当接部、ドア基端当接部と、を有してなることを特徴としている。
請求項２の考案は、ドアと、ドア枠体と、を備えてなる密閉ドアであって、前記ドアの背面側に形成されると共にドア幅方向先端部に近づくに従ってドア正面板に接近するように傾斜して形成されたドア背面板と、前記ドア枠体の正面側に形成されると共に前記ドアを閉めた場合に前記ドア背面板が密着するように前記ドア背面板の傾斜角度と同じ傾斜角度で傾斜して形成されたドア上当接部、ドア下当接部、ドア先端当接部、ドア基端当接部と、を有してなることを特徴としている。
請求項３の考案は、スライド可能なドアと、矩形枠状に形成されたドア枠体と、を備えてなる密閉ドアであって、前記ドアの背面側に形成されると共にドア幅方向先端部に近づくに従ってドア正面板に接近するように傾斜して形成されたドア背面板と、前記ドア枠体の正面側に形成されると共に前記ドアを閉めた場合に前記ドア背面板が密着するように前記ドア背面板の傾斜角度と同じ傾斜角度で傾斜して形成されたドア上当接部、ドア下当接部、ドア先端当接部、ドア基端当接部と、を有してなることを特徴としている。
【考案の効果】
【０００６】
本考案の密閉ドアは、ドアをドア枠体に密着して閉めることができるのでドアとドア枠体との密閉性を高めて遮音性、断熱性等を高めたり、あるいは電磁波等の遮蔽性を一段と向上させることができるという優れた効果を有する。
本考案の密閉ドアは、構造がシンプルであるので製造が容易であると共に製品の提供価格を抑えることができるという優れた効果を有する。
本考案の密閉ドアは、簡単にドアをドア枠体に密着させてドアを閉めることができると共に簡単にドアを開けることができるという優れた効果を有する。
【図面の簡単な説明】
【０００７】
【図１】第１実施例の密閉ドアの横断面図である。
【図２】第１実施例の密閉ドアの縦断面図である。
【図３】第１実施例の密閉ドアのドアとドア枠体の関係を示す概略横断面図である。
【図４】第１実施例の密閉ドアのドアとドア枠体の関係を示す概略横断面図である。
【図５】第１実施例の密閉ドアのドアとドア枠体の位置関係を示す概略正面図である。
【図６】第２実施例の密閉ドアのドアとドア枠体の関係を示す概略横断面図である。
【図７】第２実施例の密閉ドアのドアとドア枠体の位置関係を示す概略正面図である。
【考案を実施するための形態】
【０００８】
考案を実施するために最良の形態の例として以下のような実施例を示す。
【実施例１】
【０００９】
図１〜図５には本考案に密閉ドアの第１実施例が示されている。この第１実施例で示す密閉ドアは引き戸タイプの密閉ドアを例にして説明する。
図５に示されるように、本考案の密閉ドア１０はドア１２と、ドア枠体１４と、から構成されている。この実施例ではドア１２とドア枠体１４は金属等の適宜素材で形成されている。
前記ドア枠体１４は工場、研究施設、ビル、家屋等の適宜建築物１の壁２に開口形成された壁開口部３に対応する状態で前記壁２に固定手段を介して固定されている。
前記ドア枠体１４は縦長の矩形枠状に一体形成され、ドア枠体１４の中央部には開口部１６が大きく形成されている。この開口部１６は前記壁開口部３と対応している。
図１に示されるように、前記ドア１２はドア幅方向先端部１２Ａの肉厚寸法Ｔ１がドア幅方向基端部１２Ｂの肉厚寸法Ｔ２よりも小さくなるように形成され、ドア背面板１２Ｃは前記ドア幅方向先端部１２Ａに近づくに従ってドア正面板１２Ｄに接近するように傾斜して形成されている。
図５に示されるように、前記ドア１２のドア幅方向先端部１２Ａのドア正面板１２Ｄには取っ手１８が形成されている。従って、この取っ手１８を掴むことによりより容易にドア１２を左右方向（図５矢印Ａ，Ｂ方向）にスライドできるようになっている。
図２に示されるように，前記ドア１２のドア天面部１２Ｅにはドアハンガー２０が立設状態で固定されている。また、前記ドア１２のドア底面部１２Ｆにはガイド用溝２２が形成されている。
図５に示されるように、前記ドア枠体１４の前記ドア１２と対応する正面側には前記ドア１２を閉めた場合にドア背面板１２Ｃが当接するドア上当接部３０、ドア下当接部３２、ドア先端当接部３４、ドア基端当接部３６が形成されている。
図１、図３に示されるように、これらドア上当接部３０、ドア下当接部３２、ドア先端当接部３４、ドア基端当接部３６は傾斜して形成され、ドア上当接部３０、ドア下当接部３２、ドア先端当接部３４、ドア基端当接部３６の傾斜角度は前記ドア１２のドア背面板１２Ｃの傾斜角度と同じ傾斜角度に設定されている。
従って、図１〜図３に示されるように、戸袋部４（図５参照）に位置していたドア１２を図５矢印Ａ方向にスライドさせてドア１２を閉めるとドア１２のドア背面板１２Ｃは前記ドア枠体１４のドア上当接部３０、ドア下当接部３２、ドア先端当接部３４、ドア基端当接部３６に円滑に密着状態で当接するようになっている。
また、前記ドア１２を図５矢印Ｂ方向にスライドさせてドア１２を開けると図４に示されるようにドア背面板１２Ｃは前記ドア枠体１４のドア上当接部３０、ドア下当接部３２、ドア先端当接部３４、ドア基端当接部３６と円滑に離間できるようになっている。
図５に示されるように、壁２にはドア吊下装置カバー４０が幅方向に沿って設けられている。
図２に示されるように、このドア吊下装置カバー４０の内部にはドア吊下体４２が幅方向に沿って固定されている。このドア吊下体４２には前記ドアハンガー２０が幅方向に移動可能なように吊り下げられている。従って、前記ドア１２は図５矢印Ａ，Ｂ方向にスライド可能となっている。
また、ドア１２の下方にはドアガイド突起体４４が突設されている。このドアガイド突起体４４は前記ドア１２のガイド用溝２２に挿入されている。従って、ドア１２が図５矢印Ａ，Ｂ方向にスライドする場合にドア１２はドアガイド突起体４４にガイドされるのでドア１２はぶれたりしないで図５矢印Ａ，Ｂ方向にスライドできるようになっている。
【００１０】
次に、第１実施例の密閉ドア１０の作用について説明する。
戸袋部４に位置しているドア１２ドア１２を閉める場合はドア１２の取っ手３８を持ってドア１２を図５矢印Ａ方向にスライドさせる。
ドア１２が図５矢印Ａ方向にスライドすることにより、傾斜して形成されたドア１２のドア背面板１２Ｃは前記ドア枠体１４の傾斜して形成されたドア上当接部３０、ドア下当接部３２、ドア先端当接部３４、ドア基端当接部３６に密着状態で円滑に当接する。
傾斜して形成されたドア１２のドア背面板１２Ｃと傾斜して形成されたドア枠体１４のドア上当接部３０、ドア下当接部３２、ドア先端当接部３４、ドア基端当接部３６ア１２が当接することによりドア１２とドア枠体１４の密閉性が高まる。
従って、建築物１の内部の遮音性や断熱性等を一段と向上させたり電磁波等の遮蔽性を一段と向上させることができる。
しかも、密閉ドア１０はドア１２とドア枠体１４の密閉性を高めるための押付装置等を備えていないので構造がシンプルであり、密閉ドア１０の製造を容易にすることができると共に密閉ドア１０の提供価格を抑えて提供することができる。
また、密閉ドア１０においてはドア１２をスライドさせてドア１２のドア背面板１２Ｃをドア枠体１４のドア上当接部３０、ドア下当接部３２、ドア先端当接部３４、ドア基端当接部３６に当接させるだけでドア１２とドア枠体１４の密閉性を高めることができるので簡単に密閉性を高めることができる。
なお、図４に示されるように密閉ドア１０においてはドア１２を図矢印Ｂ方向にスライドさせるとドア枠体１４に密着当接していたドア１２は円滑にドア枠体１４から離間することができる。
【００１１】
図６及び図７には密閉ドアの第２実施例が示されている。第２実施例の密閉ドアは第１実施例の密閉ドアと異なり片開きタイプの密閉ドアを例にして説明する。なお、第１実施例の密閉ドアと同一の構成は同一の符号を用いて説明を省略する。
図６に示されるように、第２実施例の密閉ドア５０もドア５２と、ドア枠体５４と、から構成されている。この実施例ではドア５２とドア枠体５４は金属等の適宜素材で形成されている。
前記ドア５２はドア幅方向先端部５２Ａの肉厚寸法Ｔ１がドア幅方向基端部５２Ｂの肉厚寸法Ｔ２よりも小さくなるように形成され、ドア背面板５２Ｃは前記ドア幅方向先端部５２Ａに近づくに従ってドア正面板５２Ｄに接近するように傾斜して形成されている。
図７に示されるように、前記ドア５２のドア幅方向基端部５２Ｂとドア枠体５４の間には蝶番５６が取り付けられている。これによりドア５２とドア枠体５４は連結され、ドア５２は図６矢印方向に回動可能となっている。
前記ドア枠体５４の前記ドア５２と対応する正面側には前記ドア５２を閉めた場合にドア背面板５２Ｃが当接するドア上当接部６０、ドア下当接部６２、ドア先端当接部６４、ドア基端当接部６６が形成されている。
前記ドア上当接部６０、ドア下当接部６２、ドア先端当接部６４、ドア基端当接部６６の傾斜角度は前記ドア５２のドア背面板５２Ｃの傾斜角度と同じ傾斜角度に設定されている。
従って、前記ドア５２を回動させてドア５２を閉めるとドア５２のドア背面板５２Ｃは前記ドア枠体５４のドア上当接部６０、ドア下当接部６２、ドア先端当接部６４、ドア基端当接部６６に円滑に密着状態で当接するようになっている。
また、前記ドア５２のドア幅方向先端部５２Ａ近傍のドア正面板５２Ｄにはドアノブ６８が設けられている。
なお、他の作用、効果は第１実施例の密閉ドア１０と同じであるのでその説明は省略する。
【００１２】
なお、実施例ではドア１２，５２及びドア枠体１４，５４を金属材料で形成したが、ドア１２，５２及びドア枠体１４，５４は合金、木、合成樹脂材、等の金属材料以外で形成してもよいことは勿論である。
また、実施例ではドア１２，５２の外周面やドア枠体１４，５４の外周面にシール材を取り付けなかったが、ドア１２，５２の外周面やドア枠体１４，５４の外周面にシール材を取り付けてもよいことは勿論である。
【産業上の利用可能性】
【００１３】
本考案の密閉ドア１０，５０は、建築物１以外に設けられた開口部にも使用することができる。
【符号の説明】
【００１４】
１０    密閉ドア
１２    ドア
１２Ａ  ドア幅方向先端部
１２Ｂ  ドア幅方向基端部
１２Ｃ  ドア背面板
１２Ｄ  ドア正面板
１４    ドア枠体
１８    取っ手
２０    ドアハンガー
２２    ガイド用溝
３０    ドア上当接部
３２    ドア下当接部
３４    ドア先端当接部
３６    ドア基端当接部
４０    ドア吊下装置カバー
４２    ドア吊下体
４４    ドアガイド突起体
【図１】
0003180506.tif 000003
【図２】
0003180506.tif 000004
【図３】
0003180506.tif 000005
【図４】
0003180506.tif 000006
【図５】
0003180506.tif 000007
【図６】
0003180506.tif 000008
【図７】
0003180506.tif 000009